(57)【要約】【課題】  複数の番組を同時に表示する際に複数の番組の音声信号のレベルをほぼ等しく制御する映像表示装置を提供すること。【解決手段】  実施形態によれば、映像表示装置は表示部と制御部とを具備する。表示部は第１の映像と第２の映像を表示する。制御部は第１の映像用の第１の音声のレベルを第１の設定値から所定の範囲内に収まるように制御し、第２の映像用の第２の音声のレベルを第２の設定値から前記所定の範囲内に収まるように制御する。【選択図】図６
2013051650.tif 000002
【特許請求の範囲】
【請求項１】
第１の映像と第２の映像を表示する表示部と、
第１の映像用の第１の音声のレベルを第１の設定値から所定の範囲内に収まるように制御し、第２の映像用の第２の音声のレベルを第２の設定値から前記所定の範囲内に収まるように制御する制御部と、
を具備する映像表示装置。
【請求項２】
第１の映像と第２の映像を表示する表示部と、
第１の映像用の第１の音声のレベルと第２の映像用の第２の音声のレベルを、前記第１の音声レベルと前記第２の音声のレベルとの差が所定の範囲内に収まるように制御する制御部と、
を具備する映像表示装置。
【請求項３】
前記表示部は第１の映像を表示する第１の領域と、前記第２の映像を表示する第２の領域とを具備し、前記第１の領域と前記第２の領域は１つの表示画面の左右の領域である請求項１または請求項２記載の映像表示装置。
【請求項４】
前記表示部は第１の映像を表示する第１の表示装置と、前記第２の映像を表示する第２の表示装置とを具備する請求項１または請求項２記載の映像表示装置。
【請求項５】
前記第１の映像と、前記第２の映像と、前記第１の設定値と、前記第２の設定値とを設定するための画面を表示する手段と、
ユーザの操作により前記画面上で前記第１の映像と、前記第２の映像と、前記第１の設定値と、前記第２の設定値とを設定する手段と、
をさらに具備する請求項１または請求項２記載の映像表示装置。
【請求項６】
前記制御部は前記第１の音声のレベルの平均値と前記第２の音声のレベルの平均値とを検出する手段を具備し、
前記検出手段の検出結果に基づいて前記第１の音声のレベルと前記第２の音声のレベルを制御する請求項１または請求項２記載の映像表示装置。
【請求項７】
第１の映像と第２の映像を表示することと、
第１の映像用の第１の音声のレベルを第１の設定値から所定の範囲内に収まるように制御し、第２の映像用の第２の音声のレベルを第２の設定値から前記所定の範囲内に収まるように制御することと、
を具備する映像表示方法。
【請求項８】
第１の映像と第２の映像を表示することと、
第１の映像用の第１の音声のレベルと第２の映像用の第２の音声のレベルを、前記第１の音声レベルと前記第２の音声のレベルとの差が所定の範囲内に収まるように制御することと、
を具備する映像表示方法。
【請求項９】
前記第１の映像と、前記第２の映像と、前記第１の設定値と、前記第２の設定値とを設定するための画面を表示することと、
ユーザの操作により前記画面上で前記第１の映像と、前記第２の映像と、前記第１の設定値と、前記第２の設定値とを設定することと、
をさらに具備する請求項７または請求項８記載の映像表示方法。
【請求項１０】
前記制御することは、
前記第１の音声のレベルの平均値と前記第２の音声のレベルの平均値とを検出することと、
前記検出結果に基づいて前記第１の音声のレベルと前記第２の音声のレベルを制御することと、
を具備する請求項７または請求項８記載の映像表示方法。
【発明の詳細な説明】
【技術分野】
【０００１】
本発明の実施形態は映像表示装置及び映像表示方法に関する。
【背景技術】
【０００２】
映像表示装置の一例としてのテレビジョン受像機は画面の大型化に伴い画面を左右２画面に分割し、別々の番組をそれぞれの画面に表示可能となっている。映像のみならず、左右の画面の音声を左右のスピーカのそれぞれから、あるいはスピーカとイヤホーンから出力するものもある。一例として、左画面の第１のステレオ音声信号、右画面の第２のステレオ音声信号をそれぞれ第１、第２のモノラル音声信号に変換して、左右のスピーカからそれぞれ出力するものがある。音量コントロールは左右の画面に共通であるので、第１、第２の音声レベルは原則同じであるが、本編とＣＭ、あるいは番組／放送局間で音声レベルが変動し、第１、第２の音声にレベル差が生じることがある。レベル差が大きくなると、２つの音声を聞き取りづらくなる。
【０００３】
１台のテレビジョン受像機により２画面表示する以外にも、２台のテレビジョン受像機を並べて設置し、二人が同時に別々の番組を視聴する場合もある。ここで、一人が一方の音声の音量を上げると、他者も他方の音声の音量を上げ、結果として両方の音量が非常に大きくなってしまうこともある。
【先行技術文献】
【特許文献】
【０００４】
【特許文献１】特開平９−３２２０９４号公報
【特許文献２】特開２００３−８７６８１号公報
【発明の概要】
【発明が解決しようとする課題】
【０００５】
従来の映像表示装置は２番組を同時に表示する際に、２つの番組の音声信号のレベルを制御しておらず、２番組の音声間にレベル差が生じ、聞き取りづらい事態が発生していた。
【０００６】
本発明の目的は、複数の番組を同時に表示する際に複数の番組の音声信号のレベルをほぼ等しく制御する映像表示装置及び映像表示方法を提供することである。
【課題を解決するための手段】
【０００７】
実施形態によれば、映像表示装置は表示部と、制御部とを具備する。表示部は第１の映像と第２の映像を表示する。制御部は第１の映像用の第１の音声のレベルを第１の設定値から所定の範囲内に収まるように制御し、第２の映像用の第２の音声のレベルを第２の設定値から所定の範囲内に収まるように制御する。
【０００８】
他の実施形態によれば、映像表示装置は表示部と、制御部とを具備する。表示部は第１の映像と第２の映像を表示する。制御部は第１の映像用の第１の音声のレベルと第２の映像用の第２の音声のレベルを、第１の音声レベルと第２の音声のレベルとの差が所定の範囲内に収まるように制御する。
【０００９】
さらに他の実施形態によれば、映像表示方法は、第１の映像と第２の映像を表示することと、第１の映像用の第１の音声のレベルを第１の設定値から所定の範囲内に収まるように制御し、第２の映像用の第２の音声のレベルを第２の設定値から前記所定の範囲内に収まるように制御することと、を具備する。
【００１０】
さらに他の実施形態によれば、映像表示方法は、第１の映像と第２の映像を表示することと、第１の映像用の第１の音声のレベルと第２の映像用の第２の音声のレベルを、前記第１の音声レベルと前記第２の音声のレベルとの差が所定の範囲内に収まるように制御することと、を具備する。
【図面の簡単な説明】
【００１１】
【図１】第１実施形態の２画面表示の一例を示す図である。
【図２】第１実施形態の信号処理回路の構成の一例を示すブロック図である。
【図３】図２の音声レベル補正コントロール部３２の構成の一例を示すブロック図である。
【図４】入力信号選択のための設定画面の一例を示す図である。
【図５】入力信号選択の動作の一例を示すフローチャートである。
【図６】音声レベル調整の動作の一例を示すフローチャートである。
【図７】第２実施形態の構成の一例を示す図である。
【図８】第３実施形態の２画面表示の一例を示す図である。
【図９】第３実施形態の音声レベル調整の動作の一例を示すフローチャートである。
【図１０】第３実施形態の音声レベル調整の原理を示す図である。
【発明を実施するための形態】
【００１２】
以下、実施の形態について図面を参照して説明する。
【００１３】
第１実施形態
第１実施形態の２画面表示の一例を図１に示す。ここでは、映像表示装置はテレビジョン受像機とするが、これに限らず、チューナを有するパーソナルコンピュータ等であっても良い。１台のテレビジョン受像機の表示部５２の画面を左右に２画面に分割し、左右ぞれぞれの画面に第１の映像、第２の映像を表示する。テレビジョン受像機は左右に第１、第２のステレオスピーカを配する。第１のステレオスピーカは左スピーカ４６Ｌ、右スピーカ４６Ｒを具備する。第２のステレオスピーカは左スピーカ４８Ｌ、右スピーカ４８Ｒを具備する。左側の第１のステレオスピーカ４６Ｌ、４６Ｒから左画面用の第１のステレオ音声が拡声され、右側の第２のステレオスピーカ４８Ｌ、４８Ｒからは右画面用の第２のステレオ音声が拡声される。なお、左右の第１、第２のスピーカはステレオスピーカに限らず、モノラルスピーカであってもよい。その場合は、左側の第１スピーカから左画面用の第１のモノラル音声が拡声され、右側の第２スピーカから右画面用の第２のモノラル音声が拡声される。
【００１４】
図２は第１実施形態の信号処理回路の構成の一例を示すブロック図である。映像としては、内蔵チューナからの映像の他、外部入力映像も選択的に表示可能である。第１、第２のチューナ１０Ａ、１０Ｂと、第１、第２の外部入力部１２Ａ、１２Ｂが設けられる。外部入力部１２Ａ、１２Ｂには、ＤＶＤプレーヤ、ハードディスクレコーダ、他のテレビジョン受像機等が接続される。第１のチューナ１０Ａ、第１の外部入力部１２Ａのいずれか一方がセレクタ１４Ａにより選択され、第２のチューナ１０Ｂ、第２の外部入力部１２Ｂのいずれか一方がセレクタ１４Ｂにより選択される。
【００１５】
具体的には、第１のチューナ１０Ａからの映像信号、左右チャンネルの音声信号がセレクタ１６Ａ、１８Ａ、２０Ａの第１端子に供給され、第１の外部入力部１２Ａからの映像信号、左右チャンネルの音声信号がセレクタ１６Ａ、１８Ａ、２０Ａの第２端子に供給される。セレクタ１６Ａ、１８Ａ、２０Ａは連動して切り換えられ、セレクタ１６Ａが第１のチューナ１０Ａからの映像信号を選択する場合は、セレクタ１８Ａ、２０Ａは第１のチューナ１０Ａからの左右チャンネルの音声信号を選択し、セレクタ１６Ａが第１の外部入力部１２Ａからの映像信号を選択する場合は、セレクタ１８Ａ、２０Ａは第１の外部入力部１２Ａからの左右チャンネルの音声信号を選択する。
【００１６】
第２のチューナ１０Ｂからの映像信号、左右チャンネルの音声信号がセレクタ１６Ｂ、１８Ｂ、２０Ｂの第１端子に供給され、第２の外部入力部１２Ｂからの映像信号、左右チャンネルの音声信号がセレクタ１６Ｂ、１８Ｂ、２０Ｂの第２端子に供給される。セレクタ１６Ｂ、１８Ｂ、２０Ｂも連動して切り換えられ、セレクタ１６Ｂが第２のチューナ１０Ｂからの映像信号を選択する場合は、セレクタ１８Ｂ、２０Ｂは第２のチューナ１０Ｂからの左右チャンネルの音声信号を選択し、セレクタ１６Ｂが第１の外部入力部１２Ｂからの映像信号を選択する場合は、セレクタ１８Ｂ、２０Ｂは第２の外部入力部１２Ｂからの左右チャンネルの音声信号を選択する。
【００１７】
セレクタ１６Ａ、１６Ｂで選択された第１、第２の映像信号は２画面表示用信号作成回路５０に供給され、セレクタ１６Ａからの第１の映像信号を左画面に、セレクタ１６Ｂからの第２の映像信号を右画面に表示するための表示用信号を作成し、表示用信号を表示部５２に供給する。これにより、図１に示すような２画面表示がなされる。左右画面には第１、第２のチューナ、第１、第２の外部入力部からの映像が任意に表示される。
【００１８】
セレクタ１８Ａ、２０Ａで選択された左右チャンネルの第１の音声信号がＤＲＣ（ダイナミックレンジコントロールあるいはダイナミックレンジコンプレッション）回路２２Ｌ、２２Ｒに供給される。ＤＲＣ回路２２は爆発音等の大音響は音量を抑えながら、セリフ等の小さな音は大きく明瞭に聞こえるように音量を制御する。ＤＲＣ回路２２Ｌ、２２Ｒから出力された左右チャンネルの第１の音声信号が減衰器（ＡＴＴ）２６Ｌ、２６Ｒに供給される。減衰器２６は音声信号レベルを調整するための減衰器である。減衰器回路２６Ｌ、２６Ｒから出力された左右チャンネルの第１の音声信号が加算器３０Ａに供給されるとともに、セレクタ３８Ａ、４０Ａに供給される。加算器３０Ａの加算結果は音声レベル補正コントロール部３２に供給される。
【００１９】
セレクタ１８Ｂ、２０Ｂで選択された左右チャンネルの第２の音声信号がＤＲＣ回路２４Ｌ、２４Ｒに供給される。ＤＲＣ回路２４はＤＣＲ回路２２と同様に音量を制御する。ＤＲＣ回路２４Ｌ、２４Ｒから出力された左右チャンネルの第２の音声信号が減衰器２８Ｌ、２８Ｒに供給される。減衰器２８は減衰器２６と同様に音声信号レベルを調整する。減衰器２８Ｌ、２８Ｒから出力された左右チャンネルの第２の音声信号が加算器３０Ｂに供給されるとともに、セレクタ３８Ｂ、４０Ｂに供給される。加算器３０Ｂの加算結果は音声レベル補正コントロール部３２に供給される。
【００２０】
音声レベルコントロール部３２はＤＲＣ回路２２Ｌ、２２Ｒ、２４Ｌ、２４Ｒと、減衰器２６Ｌ、２６Ｒ、２８Ｌ、２８Ｒの動作を制御する。音声レベルコントロール部３２にはグラフィックユーザインタフェース（ＧＵＩ）回路３４も接続される。ＧＵＩ回路３４は表示部５２にも接続され、後述する設定画面を表示する。
【００２１】
減衰器２６Ｌ、２６Ｒ、２８Ｌ、２８Ｒからの第１、第２の音声信号がセレクタ３６Ａ、３６Ｂに供給される。具体的には、減衰器２６Ｌから出力された左チャンネルの第１の音声信号がセレクタ３８Ａの第１、第３端子、セレクタ４０Ａの第３端子、セレクタ３８Ｂの第２端子に供給される。減衰器２６Ｒから出力された右チャンネルの第１の音声信号がセレクタ４０Ａの第１端子、セレクタ３８Ｂの第３端子、セレクタ４０Ｂの第２、第３端子に供給される。減衰器２８Ｌから出力された左チャンネルの第２の音声信号がセレクタ３８Ａの第２、第４端子、セレクタ４０Ａの第４端子、セレクタ３８Ｂの第１端子に供給される。減衰器２８Ｒから出力された右チャンネルの第２の音声信号がセレクタ４０Ａの第２端子、セレクタ３８Ｂの第４端子、セレクタ４０Ｂの第１、第４端子に供給される。
【００２２】
セレクタ３８Ａ、４０Ａ、３８Ｂ、４０Ｂは、第１の映像信号に対応する左右チャンネルの第１の音声信号がそれぞれアンプ４２Ｌ、４２Ｒを介してスピーカ４６Ｌ、４６Ｒに供給され、第２の映像信号に対応する左右チャンネルの第２の音声信号がそれぞれアンプ４４Ｌ、４４Ｒを介してスピーカ４８Ｌ、４８Ｒに供給されるように選択する。
【００２３】
図３は音声レベルコントロール部３２の詳細を示す回路図である。減衰器２６Ｌ（２６Ｒ）、２８Ｌ（２８Ｒ）から出力される第１、第２の音声信号がそれぞれＡ／Ｄ変換器６０Ａ、６０Ｂに供給される。Ａ／Ｄ変換器６０Ａ、６０Ｂからのディジタルの第１、第２の音声信号がそれぞれサンプリング回路６２Ａ、６２Ｂ、平均化回路６４Ａ、６４Ｂを介してレベル比較器６６Ａ、６６Ｂに供給される。瞬間的な音量の変化（主に増加）に忠実に追従して制御すると、音量の増減が頻繁になり、却って聞きづらいことになるので、平均化回路６４Ａ、６４Ｂはこのような瞬間的な音量の変化を無視するためにある。例えば、１分以内の変化は無視するように平均化処理される。レベル比較器６６Ａ、６６Ｂはそれぞれ左右チャンネルの第１、第２の音声レベルの現在値を初期値と比較する。レベル比較器６６Ａ、６６Ｂの比較結果はＡＴＴ補正制御部６８に供給される。ＡＴＴ補正制御部６８は第１、第２の音声信号の比較結果に基づいて減衰器２６Ｌ（２６Ｒ）、２８Ｌ（２８Ｒ）を制御する。音声レベルコントロール部３２はＤＲＣ回路２２Ｌ（２２Ｒ）、２４Ｌ（２４Ｒ）のオン／オフを制御するＤＣＲオン／オフ制御部７０を含む。
【００２４】
図４はＧＵＩ回路３４による入力信号選択の設定画面の一例を示す。図５はＧＵＩ回路３４による入力信号選択の設定動作のフローチャートである。
【００２５】
図示しないリモートコントローラの操作等により、図４に示す設定画面が表示される（ブロック５０２）。リモートコントローラに設けられているカーソル移動ボタンを押して、左画面を選択し、左画面に表示する映像を選択する（ブロック５０４）。チューナを選択した場合は、放送の種類（地上波デジタル、ＢＳ、ＣＳ）とチャンネルも指定する。ブロック５０６で音量ボタンを操作して第１の音声レベルを設定する。設定された音量は左画面の映像の音量の初期値である。ブロック５０８で左画面の第１の音声のＤＣＲ設定のオン、オフを設定する。ＤＣＲ設定はデフォルトではオンが設定されている。ＤＲＣ機能はオンすることが好ましいが、ユーザの嗜好によりオフしたい場合は、オフに切り換えることもできる。右画面についても同様に、ブロック５１０で映像を選択し、ブロック５１２で右画面の映像の音量の初期値を設定し、ブロック５１４で右画面の第２の音声のＤＣＲ設定のオン、オフを設定する。左右画面の音量（第１、第２の音声レベル）の初期値は、第１、第２の音声が機器取り可能なようにほぼ等しくなるように設定される。
【００２６】
この設定に基づいて、図示しない制御回路によりセレクタ１４Ａ、１４Ｂ、３８Ａ、４０Ａ、３８Ｂ、４０Ｂが切り換えられ、第１のチューナあるいは第１の外部入力部からの第１の映像が左画面に表示され、第１のチューナあるいは第１の外部入力部からの左右チャンネルの音声が左側のスピーカ４６Ｌ、４６Ｒから拡声され、第２のチューナあるいは第２の外部入力部からの第２の映像が右画面に表示され、第２のチューナあるいは第２の外部入力部からの左右チャンネルの音声が右側のスピーカ４８Ｌ、４８Ｒから拡声される。
【００２７】
２画面表示中の音声レベル補正コントロール部３２による音量制御動作を図６に示したフローチャートを参照して説明する。ブロック６０２で、平均化回路６４Ａは左画面の第１の音声信号のレベルを検出する。ブロック６０４で、レベル比較器６６は検出値と第１の音量の初期値との差の絶対値が閾値Ｔｈ以上であるか否かを判定する。差の絶対値が閾値以上である場合は、ブロック６０６で、ＡＴＴ補正制御部６８は第１の音声信号のレベルが初期値に戻るように減衰器２６Ｌ、２６Ｒを制御する。その後、フローはブロック６０８に進む。ブロック６０４で、レベル比較器６６が検出値と第１の音量の初期値との差の絶対値が閾値Ｔｈ以上ではないことを判定すると、フローはブロック６０８に進む。
【００２８】
ブロック６０８で、平均化回路６４Ｂは右画面の第２の音声信号のレベルを検出する。ブロック６１０で、レベル比較器６６は検出値と第２の音量の初期値との差の絶対値が閾値Ｔｈ以上であるか否かを判定する。差の絶対値が閾値以上である場合は、ブロック６１２で、ＡＴＴ補正制御部６８は第２の音声信号のレベルが初期値に戻るように減衰器２８Ｌ、２８Ｒを制御する。
【００２９】
以上説明したように第１実施形態によれば、左右画面の映像を設定する際に、当該映像の第１、第２音声信号のレベルもそれぞれ設定（初期設定）することができる。視聴中にいずれかの音声信号のレベルが変化し、初期値から大きくずれると、他方の音声信号のレベルに対して差が大きくなり、聞き取りづらい事態が発生する。しかしながら、音声信号のレベルが初期値から大きくずれた場合は、図６のフローチャートのブロック６０６あるいは６１２に示すように、音声レベルを初期値に戻すようにＡＴＴ補正制御するので、２つの音声信号のレベル差が大きくなることが防止され、２つの音声を聞き取りづらい事態が発生することが防止される。このため、適切な音声で２画面表示を視聴することができる。
【００３０】
以下、本発明による映像表示装置の他の実施形態を説明する。他の実施形態の説明において第１実施形態と同一部分は同一参照数字を付してその詳細な説明は省略する。
【００３１】
第２実施形態
第１実施形態はダブルチューナを基本とし、外部入力も選択的に表示可能な１台のテレビジョン受像機を例にとって説明したが、第２実施形態は、２台のテレビジョン受像機をＬＡＮ接続して２台による２画面表示を行う場合を例にとる。
【００３２】
第１のテレビジョン受像機７０２と第２のテレビジョン受像機７０４がＬＡＮ７００により接続される。ＬＡＮ７００は音量制御データを第１、第２のテレビジョン受像機７０２、７０４間で伝送する。ＬＡＮ７００にはＤＶＤプレーヤ７０６、ハードディスクレコーダ７０８等が接続されていてもよい。第１、第２のテレビジョン受像機７０２、７０４はともに図２に示した信号処理回路の半分を具備する（第２の映像、第２の音声用の回路は不要、すなわち、第２のチューナ１０Ｂ、第２の外部入力部１２Ｂ、セレクタ１６Ｂ、１８Ｂ、２０Ｂ、ＤＲＣ回路２４Ｌ、２４Ｒ、減衰器２８Ｌ、２８Ｒ、加算器３０Ｂ、セレクタ３８Ｂ、４０Ｂ、アンプ４４Ｌ、４４Ｒ、スピーカ４８Ｌ、４８Ｒは設けられない）。このため、第１、第２のテレビジョン受像機７０２、７０４はともにそれぞれの音量を制御する。
【００３３】
第１のテレビジョン受像機７０２は第１の映像を、第２のテレビジョン受像機７０４は第２の映像を表示する。第１の映像の音声信号は第１のテレビジョン受像機７０２の信号処理回路により初期音量から外れないように制御され、第２の映像の音声信号は第２のテレビジョン受像機７０４の信号処理回路により初期音量から外れないように制御される。これにより、第１、第２のテレビジョン受像機７０２、７０４は初期設定された音量を保って２台で２画面の映像を表示する。
【００３４】
入力信号選択の設定動作では、第１、第２のテレビジョン受像機７０２、７０４の何れか一方のみがホストとして動作する。ここでは、第１のテレビジョン受像機７０２がホストとして動作するとする。第１のテレビジョン受像機７０２は図４と同様な設定画面を表示する。なお、図４の左画面は自装置、右画面は他装置となる。第１の実施形態は１台のテレビジョン受像機が２画面表示していたので、左右画面の選択はリモートコントローラの操作で簡単にできた。しかし、第２実施形態では、初期設定の際は、第１のテレビジョン受像機７０２のリモートコントローラで指示した他装置の入力信号選択データ、音量レベルデータが第１のテレビジョン受像機７０２からＬＡＮ７００を経由して第２のテレビジョン受像機７０４に送信する。第２のテレビジョン受像機７０４はＬＡＮ７００を経由して受信した入力信号選択データ、音量レベルデータに基づいて入力信号選択処理、音量初期設定処理を行う。
【００３５】
このようにＬＡＮ接続された２台のテレビジョン受像機で同時に映像を表示する際も、２台のテレビジョン受像機からの音声信号のレベル差が大きくなることが防止され、適切な音声で２つの番組を同時に視聴することができる。
【００３６】
第３実施形態
図８は第３実施形態の２画面表示の一例を示す。第３実施形態は第１実施形態の変形に関するものであり、第２の映像として第２の外部入力部１２Ｂに接続された第２のテレビジョン受像機８０からの映像を表示するものである。１台のテレビジョン受像機の表示部５２の画面を左右に２画面に分割し、左右ぞれぞれの画面に第１の映像、第２の映像を表示する点は第１実施形態と同じである。
【００３７】
信号処理回路は図２に示したものと同じである。ただし、音声レベル補正コントロール部３２のレベル比較器６６の動作が異なる。第１、第２実施形態では、音声レベルの検出値と初期値との差の絶対値が閾値以上の場合に、音声信号をＡＴＴ補正制御したが、第３実施形態では、第１、第２の音声信号レベルの検出値の差の絶対値を閾値と比較する。すなわち、第３実施形態は、２画面の音量の初期値は設定せずに、検出値の差を一定値以下に抑えるように制御する。
【００３８】
図９は第３実施形態の２画面表示中の音声レベル補正コントロール部３２による音量制御動作のフローチャートである。ブロック９０２で、平均化回路６４Ａは左画面の第１の音声信号のレベルを検出する。ブロック９０４で、平均化回路６４Ｂは右画面の第２の音声信号のレベルを検出する。ブロック９０６で、レベル比較器６６は第１、第２の音声信号の検出レベルの差（第１検出レベル−第２検出レベル）を求める。ブロック９０８で、レベル比較器６６は検出レベル差が閾値Ｔｈ以上であるか否かを判定する。レベル差が閾値以上である場合は、ブロック９１０で、ＡＴＴ補正制御部６８は減衰器２６Ｌ、２６Ｒを制御して、第１の音声信号のレベルを下げる。その後、フローはブロック９０２に戻る。ブロック９０８で、レベル比較器６６が検出レベル差が閾値Ｔｈ以上ではないことを判定すると、ブロック９１２で、レベル比較器６６は検出レベル差が閾値−Ｔｈ以下であるか否かを判定する。レベル差が閾値−Ｔｈ以下である場合は、ブロック９１４で、ＡＴＴ補正制御部６８は減衰器２８Ｌ、２８Ｒを制御して、第２の音声信号のレベルを下げる。その後、フローはブロック９０２に戻る。
【００３９】
図１０は第３実施形態のＡＴＴ補正制御の様子を示す。図１０（ａ）に示すように、第１の音声レベルが“９”であり、第２の音声レベルが“３”であり、閾値Ｔｈが“３”であるとする。レベル差（＝６）は閾値以上であるので、第１の音声レベルを下げるようにＡＴＴ補正制御が行われ、第１の音声レベルが“６”に下げられる。これにより、２画面の音量は両者の差が閾値以上になることがないように制御される。
【００４０】
図１０（ｂ）は第１の音声レベルが“５”であり、第２の音声レベルが“３”である場合を示す。この場合、レベル差（＝２）は閾値以上でないので、ＡＴＴ補正制御は行われない。
【００４１】
以上説明したように第３実施形態によれば、２画面の音声レベルの差が一定値以下に収まるように何れか一方の音声信号が制御され、２番組の音声間にレベル差が生じ、聞き取りづらい事態が発生することが防止される。
【００４２】
なお、本発明は上記実施形態そのままに限定されるものではなく、実施段階ではその要旨を逸脱しない範囲で構成要素を変形して具体化できる。２画面表示に限らず、３画面以上を同時に表示するマルチ画面表示でもよい。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００４３】
１０Ａ，１０Ｂ…チューナ、１２Ａ，１２Ｂ…外部入力部、１６Ａ，１６Ｂ，１８Ａ，１８Ｂ，２０Ａ，２０Ｂ…セレクタ、２２Ｌ，２２Ｒ，２４Ｌ，２４Ｒ…ＤＣＲ回路、２６Ｌ，２６Ｒ，２８Ｌ，２８Ｒ…減衰器、３２…音声レベル補正コントロール部、３８Ａ，３８Ｂ，４０Ａ，４０Ｂ…セレクタ、４６Ｌ，４６Ｒ，４８Ｌ，４８Ｒ…スピーカ、５０…２画面表示用信号生成回路、５２…表示部。
【図１】
2013051650.tif 000003
【図２】
2013051650.tif 000004
【図３】
2013051650.tif 000005
【図４】
2013051650.tif 000006
【図５】
2013051650.tif 000007
【図６】
2013051650.tif 000008
【図７】
2013051650.tif 000009
【図８】
2013051650.tif 000010
【図９】
2013051650.tif 000011
【図１０】
2013051650.tif 000012